(57)【要約】【課題】非侵襲による血糖値測定技術を実現した装置による新たな課金方式を提供することにある。【解決手段】被測定者に係る携帯電話に接続してＩＤデータを読み込む携帯電話接続手段と、引き出したＩＤデータを課金用データとともに蓄積する課金用データベースとを備える。近赤外線を含む測定光を発光する発光手段、およびその発光手段にて発射される測定光を用いて被測定者の被測定部位に測定光が反射した反射光を受光する受光手段を備えて被測定者の被測定部位による血液中グルコース濃度測定のための測定用データを入力するデータ入力手段は、携帯電話接続手段が引き出したＩＤデータを作動条件とするとともに、課金用データベースは、被測定者に係る携帯電話の運営会社へ課金用データを送信する。【選択図】　　図１
2004145533.tif 000002
【特許請求の範囲】
【請求項１】
近赤外線を含む測定光を発光する発光手段、およびその発光手段にて発射される測定光を用いて被測定者の被測定部位に測定光が反射した反射光を受光する受光手段を備えて被測定者の被測定部位による血液中グルコース濃度測定のための測定用データを入力するデータ入力手段と、
そのデータ入力手段によって入力された測定用データを用いて血液中グルコース濃度の算出データを演算する演算手段と、
算出された算出データを出力するデータ出力手段とを備えるとともに、
被測定者に係る携帯電話に接続してＩＤデータを読み込む携帯電話接続手段と、
引き出したＩＤデータを課金用データとともに蓄積する課金用データベースとを備え、
前記データ入力手段は、携帯電話接続手段が引き出したＩＤデータを作動条件とするとともに、
前記課金用データベースは、被測定者に係る携帯電話の運営会社へ課金用データを送信することとした血液中グルコース濃度測定による課金装置。
【請求項２】
近赤外線を含む測定光を発光する発光手段、およびその発光手段にて発射される測定光を用いて被測定者の被測定部位に測定光が反射した反射光を受光する受光手段を備えて被測定者の被測定部位による血液中グルコース濃度測定のための測定用データを入力するデータ入力手段と、
そのデータ入力手段によって入力された測定用データを用いて血液中グルコース濃度の算出データを演算する演算手段と、
算出された算出データを出力するデータ出力手段とを備えるとともに、
被測定者が予め購入したプリペイドＩＤカードからカウントを減算するカウント減算手段と、
そのプリペイドＩＤカードからＩＤデータを読み込むカードリーダとを備え、前記データ入力手段は、カードリーダが引き出したＩＤデータを作動条件とするとともに、
前記データ出力手段は、算出データをプリペイドＩＤカードへ書き込む外部記録出力手段を備えた血液中グルコース濃度測定による課金装置。
【請求項３】
近赤外線を含む測定光を発光する発光手段、およびその発光手段にて発射される測定光を用いて被測定者の被測定部位に測定光が反射した反射光を受光する受光手段を備えて被測定者の被測定部位による血液中グルコース濃度測定のための測定用データを入力するデータ入力手段と、
そのデータ入力手段によって入力された測定用データを用いて血液中グルコース濃度の算出データを演算する演算手段と、
算出された算出データを出力するデータ出力手段と、
被測定者が予め入手した使用許諾カードからＩＤデータを読み込むとともにカウンターデータをカウントするカウンター接続手段とを備え、
そのカウンター接続手段が課金用データベースへ課金用データを送信することとし、
前記データ入力手段は、カウンター接続手段が引き出したＩＤデータを作動条件とした血液中グルコース濃度測定による課金装置。
【請求項４】
被測定者に係る携帯電話に接続してＩＤデータを読み込む携帯電話接続手順と、
その携帯電話接続手順にてＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、
そのデータ入力手順にて入力された測定用データを用いて血液中グルコース濃度の算出データを演算する演算手順と、
算出された算出データを出力するデータ出力手順と、
前記携帯電話接続手順にて引き出されたＩＤデータを課金用データとともに課金用データベースへ蓄積する課金用データ蓄積手順と、
前記課金用データベースは、被測定者に係る携帯電話の運営会社へ課金用データを送信する課金用データ送信手順とを備えた血液中グルコース濃度測定による課金方法。
【請求項５】
被測定者が予め購入したプリペイドＩＤカードからカウントを減算するカウント減算手順と、
そのプリペイドＩＤカードからＩＤデータを読み込むＩＤデータ読み込み手順と、
そのＩＤデータ読み込み手順によってＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、
そのデータ入力手順にて入力された測定用データを用いて血液中グルコース濃度の算出データを演算する演算手順と、
算出された算出データを出力するデータ出力手順と、
算出データをプリペイドＩＤカードへ書き込む外部記録出力手順とを備えた血液中グルコース濃度測定による課金方法。
【請求項６】
被測定者が予め入手した使用許諾カードからＩＤデータを読み込むＩＤデータ読み込み手順と、
そのＩＤデータ読み込み手順によってＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、
そのデータ入力手順によって入力された測定用データを用いて血液中グルコース濃度の算出データを演算する演算手順と、
算出された算出データを出力するデータ出力手順と、
前記使用許諾カードのカウンターデータをカウントし、課金用データとして課金用データベースへ送信する課金用データ送信手順とを備えた血液中グルコース濃度測定による課金方法。
【請求項７】
コンピュータに対し、血液中グルコース濃度測定による課金方法を実行させるためのプログラムであって、
そのプログラムは、被測定者に係る携帯電話に接続してＩＤデータを読み込む携帯電話接続手順と、
その携帯電話接続手順にてＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、
そのデータ入力手順にて入力された測定用データを用いて血液中グルコース濃度の算出データを演算する演算手順と、
算出された算出データを出力するデータ出力手順と、
前記携帯電話接続手順にて引き出されたＩＤデータを課金用データとともに課金用データベースへ蓄積する課金用データ蓄積手順と、
前記課金用データベースは、被測定者に係る携帯電話の運営会社へ課金用データを送信する課金用データ送信手順とをコンピュータに実行させるためのコンピュータプログラム。
【請求項８】
コンピュータに対し、血液中グルコース濃度測定による課金方法を実行させるためのプログラムであって、
そのプログラムは、被測定者が予め購入したプリペイドＩＤカードからカウントを減算するカウント減算手順と、
そのプリペイドＩＤカードからＩＤデータを読み込むＩＤデータ読み込み手順と、
そのＩＤデータ読み込み手順によってＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、
そのデータ入力手順にて入力された測定用データを用いて血液中グルコース濃度の算出データを演算する演算手順と、
算出された算出データを出力するデータ出力手順と、
算出データをプリペイドＩＤカードへ書き込む外部記録出力手順とをコンピュータに実行させるためのコンピュータプログラム。
【請求項９】
コンピュータに対し、血液中グルコース濃度測定による課金方法を実行させるためのプログラムであって、
そのプログラムは、被測定者が予め入手した使用許諾カードからＩＤデータを読み込むＩＤデータ読み込み手順と、
そのＩＤデータ読み込み手順によってＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、
そのデータ入力手順によって入力された測定用データを用いて血液中グルコース濃度の算出データを演算する演算手順と、
算出された算出データを出力するデータ出力手順と、
前記使用許諾カードのカウンターデータをカウントし、課金用データとして課金用データベースへ送信する課金用データ送信手順とをコンピュータに実行させるためのコンピュータプログラム。
【発明の詳細な説明】
【０００１】
【発明が属する技術分野】
本発明は、非侵襲の手法による血糖値測定技術を実現した装置の利用に関しての新たな課金方式に関する。
【０００２】
【先行技術】
非侵襲の手法による血糖値測定技術は、たとえば、特許文献１に記載されている。ここには、血中のグルコース濃度を非侵襲にて測定可能な測定装置を実現するための技術が開示されている。
【０００３】
【特許文献１】
特開２００２−２０２２５８号公報
【０００４】
【発明が解決しようとする課題】
ところで、従来の非侵襲血糖値測定についての収益性モデルは、装置の売り切りタイプか、消耗品の販売やメンテナンスタイプに限られていた。
しかし、特許文献１に記載された技術を実現した装置では、消耗品がほとんどないため、後者の収益性モデルが成立しにくい。一方、装置の売り切りタイプでは、一時金が高価になり、ユーザにとっては敷居が高いモデルとなってしまう。
【０００５】
そこで、本発明が解決しようとする課題は、非侵襲による血糖値測定技術を実現した装置による新たな収益性モデルを提供することにある。
【０００６】
ここで、請求項１、請求項４、および請求項７に記載する発明は、非侵襲血糖値測定の利用につき、携帯電話による課金モデルを提供することである。
また、請求項２、請求項５、および請求項８に記載する発明は、非侵襲血糖値測定の利用につき、プリペイドカード方式の課金モデルを提供することである。また、請求項３、請求項６、および請求項９に記載する発明は、非侵襲血糖値測定の利用につき、後払い方式の課金モデルを提供することである。
【０００７】
【課題を解決するための手段】
本発明は、上記した課題を解決するため、被測定者にとって支払いの手続きを簡素化し、非侵襲血糖値測定装置の利用を促進する技術を提供する、という技術を用いる。
【０００８】
（請求項１）
請求項１記載の発明は、　近赤外線を含む測定光を発光する発光手段、およびその発光手段にて発射される測定光を用いて被測定者の被測定部位に測定光が反射した反射光を受光する受光手段を備えて被測定者の被測定部位による血液中グルコース濃度測定のための測定用データを入力するデータ入力手段と、　そのデータ入力手段によって入力された測定用データを用いて血液中グルコース濃度の算出データを演算する演算手段と、　算出された算出データを出力するデータ出力手段とを備えるとともに、　被測定者に係る携帯電話に接続してＩＤデータを読み込む携帯電話接続手段と、　引き出したＩＤデータを課金用データとともに蓄積する課金用データベースとを備える。
そして、前記データ入力手段は、携帯電話接続手段が引き出したＩＤデータを作動条件とするとともに、　前記課金用データベースは、被測定者に係る携帯電話の運営会社へ課金用データを送信することとした血液中グルコース濃度測定による課金装置に係る。
【０００９】
（用語説明）
「被測定部位」とは、測定を行う被測定者の指、頬、手の平、腕など、身体の一部位である。非侵襲にて血液中のグルコース濃度を測定することができる。測定原理については、例えば、特開２００２−２０２２５８号に記載されている。
特開２００２−２０２２５８号に記載された「血液中グルコース濃度測定」の原理を簡単に説明する。波長範囲０．８〜２．５μｍの近赤外光の波長を連続的に微細分割し被測定対象物に照射する近赤外照射手段と、　前記近赤外線照射手段により照射され前記被測定対象物を透過した光を受光し光電変換する光電変換手段と、　前記光電変換手段により光電変換された検出信号に基づいて得られた吸光度スペクトルを解析演算することにより前記被測定対象物内の血液中のグルコース濃度を定量するグルコース濃度算出手段とを備えることを特徴とする分光光学的血糖値測定装置を用いての測定である。
【００１０】
「携帯電話接続手段」は、携帯電話のジャックへ差し込んでデータの送受信が行える接続用ケーブルを備えている。この接続用ケーブルを用いて、携帯電話の電話番号など、ＩＤデータとなり得るデータを吸い上げる。このＩＤデータの吸い上げが確認できないと、データ入力手段は作動しない。なお、ＩＤデータの取り込みを、演算手段の作動開始条件としても、本発明の趣旨は達成する。
「算出データ出力手段」とは、図示するようなプリンタ、すなわち紙媒体への出力手段のほか、データ記録媒体（たとえばメモリカード）への出力が行えるドライブ装置でもよい。
【００１１】
（作用）
データ入力手段が作動するためには、まず携帯電話接続手段が被測定者に係る携帯電話からＩＤデータを吸い上げる。ここにおいて、データ入力手段が作動可能となる。
次に、近赤外線を含む測定光を、被測定者の被測定部位へ発光手段が発光する。その発光手段にて発射される測定光を用いて、被測定者の被測定部位に測定光が反射した反射光を受光手段が受光する。そのデータ入力手段によって入力された測定用データを用いて、演算手段が血液中グルコース濃度の算出データを演算する。そこで算出された算出データは、データ出力手段が出力する。
一方、引き出したＩＤデータは、課金用データとともに課金用データベースへ蓄積される。そして、その課金用データは、被測定者に係る携帯電話の運営会社へ送信され、例えば通話料金とともに精算される。このため、被測定者は、利用料金についての煩わしい手続きから開放される。
【００１２】
（請求項２）
請求項２記載の発明もまた血液中グルコース濃度測定による課金装置に係り、近赤外線を含む測定光を発光する発光手段、およびその発光手段にて発射される測定光を用いて被測定者の被測定部位に測定光が反射した反射光を受光する受光手段を備えて被測定者の被測定部位による血液中グルコース濃度測定のための測定用データを入力するデータ入力手段と、　そのデータ入力手段によって入力された測定用データを用いて血液中グルコース濃度の算出データを演算する演算手段と、　算出された算出データを出力するデータ出力手段とを備える構成については、請求項１記載の発明と同じである。
その特徴は、被測定者が予め購入したプリペイドＩＤカードからカウントを減算するカウント減算手段と、　そのプリペイドＩＤカードからＩＤデータを読み込むカードリーダとを備え、　前記データ入力手段は、カードリーダが引き出したＩＤデータを作動条件とするとともに、　前記データ出力手段は、算出データをプリペイドＩＤカードへ書き込む外部記録出力手段を備えた点である。
【００１３】
（用語説明）
「プリペイドＩＤカード」とは、料金先払い方式のプリペイドカードに、ＩＤデータを含むＩＤ機能を加えて書き込まれている各種のデータの更新や変更が行えるカードである。現在、鉄道の定期券機能とプリペイドカード機能とを融合したカードが普及している。
なお、ＩＤデータの取り込みを、演算手段の作動開始条件としても、本発明の趣旨は達成する。また、カウント減算手段がカウントを減算したことを、データ入力手段または演算手段の作動開始条件としても、本発明の趣旨は達成する。
【００１４】
（作用）
まずカードリーダが被測定者に係るプリペイドＩＤカードからＩＤデータを読み込む。更に、カウント減算手段がプリペイドＩＤカードの残りカウント数を読み取り、且つカウント数を減算してそのカウント数データを更新する。こうして、データ入力手段の作動条件が整う。
次に、近赤外線を含む測定光を、被測定者の被測定部位へ発光手段が発光する。その発光手段にて発射される測定光を用いて、被測定者の被測定部位に測定光が反射した反射光を受光手段が受光する。そのデータ入力手段によって入力された測定用データを用いて、演算手段が血液中グルコース濃度の算出データを演算する。そこで算出された算出データは、データ出力手段が出力する。
更に、算出データは、プリペイドＩＤカードへ書き込まれる。このため、算出データの履歴（血液中グルコース濃度の時間的推移）を、別途手段を用いて活用することができる。
なお、プリペイド式であるため、被測定者は、利用料金についての煩わしい手続きから開放される。
【００１５】
（請求項３）
請求項３記載の発明もまた血液中グルコース濃度測定による課金装置に係り、近赤外線を含む測定光を発光する発光手段、およびその発光手段にて発射される測定光を用いて被測定者の被測定部位に測定光が反射した反射光を受光する受光手段を備えて被測定者の被測定部位による血液中グルコース濃度測定のための測定用データを入力するデータ入力手段と、　そのデータ入力手段によって入力された測定用データを用いて血液中グルコース濃度の算出データを演算する演算手段と、　算出された算出データを出力するデータ出力手段とを備える構成については、請求項１記載の発明と同じである。
その特徴は、被測定者が予め入手した使用許諾カードからＩＤデータを読み込むとともにカウンターデータをカウントするカウンター接続手段を備え、そのカウンター接続手段が課金用データベースへ課金用データを送信することとし、前記データ入力手段は、カウンター接続手段が引き出したＩＤデータを作動条件としている点である。
【００１６】
（用語説明）
「使用許諾カード」とは、被測定者に対して予め発行された後払い精算方式のカードであり、ＩＤデータを含むＩＤ機能を加えて書き込まれているカードである。各種のデータの更新や変更が行えるカードとし、算出データを書き込めるようにしても良い。
「カウンター接続手段」とは、使用許諾カードに書き込まれたデータを吸い上げるカードリーダとの送受信が行える接続用ケーブルを備えている。ＩＤデータの吸い上げが確認できないと、データ入力手段は作動しない。
【００１７】
（作用）
まず、カウンター接続手段が、使用許諾カードに書き込まれたＩＤデータとカウンターデータとを吸い上げる。カウンターデータは、課金用データベースへ課金用データとして送信される。また、ＩＤデータの吸い上げとともに、データ入力手段が作動可能となる。
次に、近赤外線を含む測定光を、被測定者の被測定部位へ発光手段が発光する。その発光手段にて発射される測定光を用いて、被測定者の被測定部位に測定光が反射した反射光を受光手段が受光する。そのデータ入力手段によって入力された測定用データを用いて、演算手段が血液中グルコース濃度の算出データを演算する。そこで算出された算出データは、データ出力手段が出力する。
なお、課金用データベースへ蓄積された課金用データは、後払い精算のデータとして使用される。このため、被測定者は、利用料金についての煩わしい手続きから開放される。
【００１８】
（請求項４）
請求項４記載の発明は、血液中グルコース濃度測定を利用した被測定者に対する課金方法に係る。
すなわち、被測定者に係る携帯電話に接続してＩＤデータを読み込む携帯電話接続手順と、　その携帯電話接続手順にてＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、　そのデータ入力手順にて入力された測定用データを用いて血液中グルコース濃度の算出データを演算する演算手順と、　算出された算出データを出力するデータ出力手順と、　前記携帯電話接続手順にて引き出されたＩＤデータを課金用データとともに課金用データベースへ蓄積する課金用データ蓄積手順と、　前記課金用データベースは、被測定者に係る携帯電話の運営会社へ課金用データを送信する課金用データ送信手順とを備えた血液中グルコース濃度測定による課金方法である。
【００１９】
（請求項５）
請求項５記載の発明もまた、血液中グルコース濃度測定を利用した被測定者に対する課金方法に係る。
すなわち、被測定者が予め購入したプリペイドＩＤカードからカウントを減算するカウント減算手順と、　そのプリペイドＩＤカードからＩＤデータを読み込むＩＤデータ読み込み手順と、　そのＩＤデータ読み込み手順によってＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、　そのデータ入力手順にて入力された測定用データを用いて血液中グルコース濃度の算出データを演算する演算手順と、　算出された算出データを出力するデータ出力手順と、　算出データをプリペイドＩＤカードへ書き込む外部記録出力手順とを備えた血液中グルコース濃度測定による課金方法である。
【００２０】
（請求項６）
請求項５記載の発明もまた、血液中グルコース濃度測定を利用した被測定者に対する課金方法に係る。
すなわち、被測定者が予め入手した使用許諾カードからＩＤデータを読み込むＩＤデータ読み込み手順と、　そのＩＤデータ読み込み手順によってＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、そのデータ入力手順によって入力された測定用データを用いて血液中グルコース濃度の算出データを演算する演算手順と、　算出された算出データを出力するデータ出力手順と、　前記使用許諾カードのカウンターデータをカウントし、課金用データとして課金用データベースへ送信する課金用データ送信手順とを備えた血液中グルコース濃度測定による課金方法である。
【００２１】
（請求項７）
請求項７記載の発明は、コンピュータに対し、血液中グルコース濃度測定による課金方法を実行させるためのプログラムに係る。
そのプログラムは、被測定者に係る携帯電話に接続してＩＤデータを読み込む携帯電話接続手順と、　その携帯電話接続手順にてＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、　そのデータ入力手順にて入力された測定用データを用いて血液中グルコース濃度の算出データを演算する演算手順と、　算出された算出データを出力するデータ出力手順と、　前記携帯電話接続手順にて引き出されたＩＤデータを課金用データとともに課金用データベースへ蓄積する課金用データ蓄積手順と、　前記課金用データベースは、被測定者に係る携帯電話の運営会社へ課金用データを送信する課金用データ送信手順とをコンピュータに実行させるためのコンピュータプログラムである。
【００２２】
（請求項８）
請求項８記載の発明もまた、コンピュータに対し、血液中グルコース濃度測定による課金方法を実行させるためのプログラムに係る。
そのプログラムは、被測定者が予め購入したプリペイドＩＤカードからカウントを減算するカウント減算手順と、　そのプリペイドＩＤカードからＩＤデータを読み込むＩＤデータ読み込み手順と、　そのＩＤデータ読み込み手順によってＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、　そのデータ入力手順にて入力された測定用データを用いて血液中グルコース濃度の算出データを演算する演算手順と、　算出された算出データを出力するデータ出力手順と、　算出データをプリペイドＩＤカードへ書き込む外部記録出力手順とをコンピュータに実行させるためのコンピュータプログラムである。
【００２３】
（請求項９）
請求項８記載の発明もまた、コンピュータに対し、血液中グルコース濃度測定による課金方法を実行させるためのプログラムに係る。
そのプログラムは、被測定者が予め入手した使用許諾カードからＩＤデータを読み込むＩＤデータ読み込み手順と、　そのＩＤデータ読み込み手順によってＩＤデータが読み込まれたことを作動条件として、近赤外線を含む測定光を発光する発光手順、およびその発光手順にて発射される測定光を用いて被測定者の被測定部位に測定光が反射した反射光を受光する受光手順を経て被測定者の被測定部位による血液中グルコース濃度測定のための測定用データを入力するデータ入力手順と、　そのデータ入力手順によって入力された測定用データを用いて血液中グルコース濃度の算出データを演算する演算手順と、　算出された算出データを出力するデータ出力手順と、　前記使用許諾カードのカウンターデータをカウントし、課金用データとして課金用データベースへ送信する課金用データ送信手順とをコンピュータに実行させるためのコンピュータプログラムである。
【００２４】
請求項７から請求項９までに記載のコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−ＲＯＭ、ＭＯ（光磁気ディスク）、ＤＶＤ−ＲＯＭ、ＰＤなどである。
また、これらの発明に係るプログラムを格納したコンピュータから、通信回線を通じて他のコンピュータへ伝送することも可能である。
【００２５】
【発明の実施の形態】
以下、本発明を実施の形態及び図面に基づいて、更に詳しく説明する。ここで使用する図面は、図１乃至図３であり、それぞれ発明の実施形態を概念的に示している。
【００２６】
（図１）
図１は、特開２００２−２０２２５８号に代表される非侵襲による血液中のグルコース濃度を測定する分光光学的血糖値測定装置であるデータ入力算出出力ユニットにつき、被測定者に係る携帯電話を用いた課金システム（被測定者における利用料金精算システム）を採用した様子を示す概念図である。
【００２７】
特開２００２−２０２２５８号に開示される分光光学的血糖値測定装置は、波長範囲０．８〜２．５μｍの近赤外光の波長を連続的に微細分割し被測定対象物に照射する近赤外照射手段と、前記近赤外照射手段により照射され前記被測定対象物を透過した光を受光し光電変換する光電変換手段と、前記光電変換手段により光電変換された検出信号に基づいて得られた吸光度スペクトルを解析演算することにより前記被測定対象物内の血液中のグルコース濃度を定量するグルコース濃度算出手段とを備えることを特徴とする。
また、光源と、前記光源から光が入射され、波長範囲０．８〜２．５μｍの近赤外光を出力する音響光学可変振動フィルターと、前記音響光学可変振動フィルターに音響振動を加える高周波振動子と、前記高周波振動子に高周波を印加する高周波発生装置とを備えていてもよい。
また、前記音響光学可変振動フィルターの媒質が、複屈折結晶材料に限定してもよい。
また、光電変換手段が、該被測定対象物を透過した光を受光し、吸光度スペクトルを与える検出信号を供給する受光素子を備えた光電変換装置であることとしてもよい。
また、グルコース濃度算出手段が、前記受光素子からの検出信号が供給される吸光度スペクトル波形解析装置および該吸光度スペクトルをグルコース濃度に換算するグルコース濃度演算装置であるとし、更に、前記吸光度スペクトルにおいて選択される波長が、１．４４μｍ、１．９４μｍおよび０．８〜２．５μｍ帯域の少なくとも５個以上の各波長における吸光度に基づく換算値であるとしてもよい。
【００２８】
この実施形態では、被測定者に係る携帯電話に接続してＩＤデータを読み込む携帯電話接続手段と、引き出したＩＤデータを課金用データとともに蓄積する課金用データベースとを備えている。そして、前記データ入力手段は、携帯電話接続手段が引き出したＩＤデータを作動条件としており、前記課金用データベースは、被測定者に係る携帯電話の運営会社へ課金用データを送信する。課金用データは、携帯電話会社に設置された課金用データベースに蓄積され、毎月処理されて、通話料金とともに被測定者への請求書へ加算される。
【００２９】
前述の「携帯電話接続手段」は、携帯電話のジャックへ差し込んでデータの送受信が行える接続用ケーブルを備えている。この接続用ケーブルを用いて、携帯電話の電話番号など、ＩＤデータとなり得るデータを吸い上げる。このＩＤデータの吸い上げが確認できないと、データ入力手段は作動しない。
なお、ＩＤデータの取り込みを、演算手段の作動開始条件としても、本発明の趣旨は達成する。
【００３０】
作動開始条件が整うと、近赤外線を含む測定光を、被測定者の被測定部位へ発光手段が発光する。その発光手段にて発射される測定光を用いて、被測定者の被測定部位に測定光が反射した反射光を受光手段が受光する。そのデータ入力手段によって入力された測定用データを用いて、演算手段が血液中グルコース濃度の算出データを演算する。そこで算出された算出データは、データ出力手段が出力する。
なお、課金用データベースへ蓄積された課金用データは、後払い精算のデータとして使用される。
【００３１】
引き出されたＩＤデータは、課金用データとともに課金用データベースへ蓄積される。そして、その課金用データは、被測定者に係る携帯電話の運営会社へ送信され、例えば通話料金とともに精算される。このため、被測定者は、利用料金についての煩わしい手続きから開放される。
なお、携帯電話の記憶装置の記憶容量が大きい場合、演算手段が演算した算出データを書き込めるようにすることもできる。
【００３２】
データ入力算出出力ユニットと携帯電話会社とは、有線接続されていても良いが、通信技術によってデータの送受信が行えるように接続されているものでも良い。通信技術による接続の場合、インターネットを介する場合、専用線にて接続される場合のいずれでも良い。
【００３３】
（図２）
図２は、被測定者に係るプリペイドカードを用いた課金システム（被測定者における利用料金精算システム）を採用した様子を示す概念図である。このプリペイドカードは、ＩＤデータを含むＩＤ機能を加えて書き込まれている各種のデータの更新や変更が行えるカードである。
【００３４】
図１に示す実施形態との相違点は、被測定者が予め購入したプリペイドＩＤカードからカウントを減算するカウント減算手段と、そのプリペイドＩＤカードからＩＤデータを読み込むカードリーダとを備え、前記データ入力手段は、カードリーダが引き出したＩＤデータを作動条件とするとともに、前記データ出力手段は、算出データをプリペイドＩＤカードへ書き込む外部記録出力手段を備えた点である。
【００３５】
まずカードリーダが被測定者に係るプリペイドＩＤカードからＩＤデータを読み込む。更に、カウント減算手段がプリペイドＩＤカードの残りカウント数を読み取り、且つカウント数を減算してそのカウント数データを更新する。こうして、データ入力手段の作動条件が整う。
次に、近赤外線を含む測定光を、被測定者の被測定部位へ発光手段が発光する。その発光手段にて発射される測定光を用いて、被測定者の被測定部位に測定光が反射した反射光を受光手段が受光する。そのデータ入力手段によって入力された測定用データを用いて、演算手段が血液中グルコース濃度の算出データを演算する。そこで算出された算出データは、データ出力手段が出力する。
更に、算出データは、プリペイドＩＤカードへ書き込まれる。このため、算出データの履歴（血液中グルコース濃度の時間的推移）を、別途手段を用いて活用することができる。
なお、プリペイド式であるため、被測定者は、利用料金についての煩わしい手続きから開放される。
【００３６】
（図３）
図３は、料金後払い精算の課金システムを採用した様子を示す概念図である。料金の精算者は、被測定者である場合と、本実施形態に係る分光光学的血糖値測定装置を購入して運用している者（たとえば病院などの医療施設やスポーツセンター）である場合とがあり得る。
【００３７】
図１や図２に示す実施形態との相違点は、被測定者が予め入手した使用許諾カードからＩＤデータを読み込むとともにカウンターデータをカウントするカウンター接続手段を備え、そのカウンター接続手段が課金用データベースへ課金用データを送信することとし、前記データ入力手段は、カウンター接続手段が引き出したＩＤデータを作動条件としている点である。
課金用データベースは、本実施形態に係る分光光学的血糖値測定装置のメンテナンス会社に設置されており、使用許諾カードの所有者に対して、利用料金の請求を行う際に使われる。
【００３８】
ここで「使用許諾カード」とは、被測定者に対して予め発行された後払い精算方式のカードであり、ＩＤデータを含むＩＤ機能を加えて書き込まれているカードである。各種のデータの更新や変更が行えるカードとし、算出データを書き込めるようにしても良い。
「カウンター接続手段」とは、使用許諾カードに書き込まれたデータを吸い上げるカードリーダとの送受信が行える接続用ケーブルを備えている。ＩＤデータの吸い上げが確認できないと、データ入力手段は作動しないこととしている。
【００３９】
まず、カウンター接続手段が、使用許諾カードに書き込まれたＩＤデータとカウンターデータとを吸い上げる。カウンターデータは、課金用データベースへ課金用データとして送信される。また、ＩＤデータの吸い上げとともに、データ入力手段が作動可能となる。
次に、近赤外線を含む測定光を、被測定者の被測定部位へ発光手段が発光する。その発光手段にて発射される測定光を用いて、被測定者の被測定部位に測定光が反射した反射光を受光手段が受光する。そのデータ入力手段によって入力された測定用データを用いて、演算手段が血液中グルコース濃度の算出データを演算する。そこで算出された算出データは、データ出力手段が出力する。
なお、課金用データベースへ蓄積された課金用データは、後払い精算のデータとして使用される。このため、被測定者は、利用料金についての煩わしい手続きから開放される。
【００４０】
【発明の効果】
請求項１、請求項４、請求項７に記載する発明によれば、非侵襲血糖値測定の利用につき、携帯電話による課金モデルを提供することができた。
また、請求項２、請求項５、請求項８に記載する発明によれば、非侵襲血糖値測定の利用につき、プリペイドカード方式の課金モデルを提供することができた。
また、請求項３、請求項６、請求項９に記載する発明によれば、非侵襲血糖値測定の利用につき、後払い方式の課金モデルを提供することができた。
【図面の簡単な説明】
【図１】本発明の第一の実施形態を示す概念図である。
【図２】本発明の第二の実施形態を示す概念図である。
【図３】本発明の第三の実施形態を示す概念図である。
【図１】
2004145533.tif 000003
【図２】
2004145533.tif 000004
【図３】
2004145533.tif 000005